(57)【特許請求の範囲】
【請求項１】
ディスクに記録された信号の再生動作が行われる動作位置と、該ディスクの全体が筐体の外部に露出される着脱位置との間を変位可能に設けられた変位部材を備えるディスクプレーヤーのディスク装着装置において、
前記ディスクを縦に装着する装着部材が前記変位部材に設けられ、
該装着部材は、該変位部材に、着脱位置と動作位置との間を回動可能に設けられ、且つ、該装着部材は、スプリングによって着脱位置方向へ回動付勢され、
該装着部材に傾斜部が設けられ、該変位部材が着脱位置から動作位置方向へ変位されるときに、前記筐体に設けられた当接部に該傾斜部が当接され、その当接によって受ける力により、該装着部材は、着脱位置から動作位置へ回動変位されることを特徴とするディスクプレーヤーのディスク装着装置。
【発明の詳細な説明】
【０００１】
【産業上の利用分野】
本発明は、ディスクをディスクプレーヤーを構成する筐体の内部に装着するディスクプレーヤーのディスク装着装置に関するものである。
【０００２】
【従来の技術】
光学式ピックアップを用いてディスクに記録されている信号の読み取り動作を行うディスクプレーヤーが普及しているが、斯かるディスクプレーヤーにおいて、ディスクの収納部への装着動作は、動作位置と着脱位置との間を変位可能に設けられているトレーによって行われるように構成されている。
【０００３】
【発明が解決しようとする課題】
トレーによってディスクの装着動作を行うように構成されたディスクプレーヤーは、該トレーにディスクを水平に載置させるように構成されている。しかしながら、最近ではＣＤ−ＲＯＭプレーヤーと呼ばれるディスクプレーヤーが普及しており、斯かるプレーヤーの中には、ディスクを水平ではなく、縦方向に収納してディスクの再生動作を行うようにした装置が要望されている。
【０００４】
本発明は、斯かる点に鑑みて成されたものであり、ディスクを縦方向に収納させる場合に適したディスクプレーヤーのディスク装着装置を提供しようとするものである。
【０００５】
【課題を解決するための手段】
本発明の請求項１に係るディスクプレーヤーのディスク装着装置は、ディスクに記録された信号の再生動作が行われる動作位置と、該ディスクの全体が筐体の外部に露出される着脱位置との間を変位可能に設けられた変位部材を備えるディスクプレーヤーのディスク装着装置において、前記ディスクを縦に装着する装着部材が前記変位部材に設けられ、該装着部材は、該変位部材に、着脱位置と動作位置との間を回動可能に設けられ、且つ、該装着部材は、スプリングによって着脱位置方向へ回動付勢され、該装着部材に傾斜部が設けられ、該変位部材が着脱位置から動作位置方向へ変位されるときに、前記筐体に設けられた当接部に該傾斜部が当接され、その当接によって受ける力により、該装着部材は、着脱位置から動作位置へ回動変位されることを特徴とする。
【０００６】
【作用】
本発明は、動作位置と着脱位置との間を変位可能に設けられている変位部材にディスクを縦に装着する装着部材を設けたものである。
【０００７】
【実施例】
図１は着脱位置にある状態を示す要部の平面図、図２は動作位置にある状態を示す要部の平面図、図３は着脱位置にある状態を示す正面一部破断面図、図４は動作位置にある状態を示す正面一部破断面図である。
【０００８】
図において、１は光学式ピックアップ等の信号読み取り手段や電気回路等が収納されている筐体、２は前記筐体１内に設けられている駆動機構によって図１に示した着脱位置と図２に示した動作位置との間を変位可能に設けられている変位部材であり、前部に筐体１に形成されている装着穴部を被う蓋体３が設けられている。
【０００９】
４は前記変位部材２に軸５によって図３に示した着脱位置と図４に示した動作位置との間を変位可能に取り付けられている装着部材であり、ディスクＤが挿入される挿入部６が形成されているとともにスプリング（図示せず）によって着脱位置方向へ回動付勢されている。７は前記装着部材４に形成されている傾斜部であり、前記変位部材２が着脱位置より動作位置方向へ変位するとき筐体１に設けられている当接部８に当接し、その当接によって受ける力により該装着部材４を着脱位置より動作位置へ回動変位させるように構成されている。
【００１０】
以上の如く本発明のディスク装着装置は構成されているが、次に斯かる構成の装着装置の動作について説明する。
ディスクプレーヤーに設けられているディスクの排出操作釦（図示せず）を操作すると、駆動機構が排出動作のための動作を行う。その結果、前記変位部材２が駆動機構の働きによって、図２に示した動作位置より図１に示した着脱位置に変位せしめられる。前記変位部材２は、駆動機構の働きによって着脱位置に変位せしめられるが、前記装着部材４は着脱位置方向へ回動付勢されているため、斯かる動作が行われると、該装着部材４は図１に示した着脱位置に回動変位せしめられることになる。そして、斯かる装着部材４の着脱位置への回動変位動作は、該装着部材４に形成されている傾斜部７が筐体１に設けられている当接部８に当接しながら行われるため、該装着部材４の着脱位置への回動変位動作は円滑に行われる。
【００１１】
ディスクの排出操作をすると、前述したように変位部材２の着脱位置への変位動作及び装着部材４の着脱位置への回動変位動作は行われるが、斯かる状態でディスクＤを前記装着部材４に形成されている挿入部６に挿入すると図１及び図３に示した状態になる。
【００１２】
斯かる状態において、ディスクプレーヤーに設けられているディスクの装着操作釦（図示せず）を操作すると、駆動機構が装着動作のための動作を行う。その結果、前記変位部材２が駆動機構の働きによって、図１に示した着脱位置より図２に示した動作位置に変位せしめられる。前記変位部材２は、駆動機構の働きによって動作位置に変位せしめられるが、斯かる変位動作は前記装着部材４に形成されている傾斜部７が筐体１に設けられている当接部８に当接しながら行われるため、該装着部材４は、図３に示した着脱位置より図４に示した動作位置に回動変位せしめられる。
【００１３】
前記変位部材２が、駆動機構の働きによって動作位置に変位せしめられると該変位部材２に設けられている装着部材４が着脱位置より動作位置に回動変位せしめられので、筐体１内に設けられているクランプ手段によってディスクＤがターンテーブル上にクランプされることになる。その結果、ディスクＤに記録されている信号の光学式ピックアップによる読み取り動作を行うことが出来る。
【００１４】
このようにディスクＤの動作位置への装着動作は行われるが、ディスクＤの排出動作は、前述したディスクの排出操作釦を操作することによって行われる。斯かる排出操作釦を操作すると、前述したように変位部材２が着脱位置に変位するとともに該変位部材２に設けられている装着部材４が動作位置より図１及び図３に示す着脱位置に回動変位する。従って、ディスクＤを前記装着部材４に形成されている挿入部６より容易に取り出すことが出来る。
【００１５】
【発明の効果】
請求項１記載のディスクプレーヤーのディスク装着装置に係る発明によれば、動作位置と着脱位置との間を変位可能に設けられている変位部材にディスクを縦に装着する装着部材を設けたので、ディスクを縦にして使用するディスクプレーヤーに対応させることが出来る。
【００１６】
また、ディスクが装着される装着部材を変位部材に着脱位置と動作位置との間を回動可能に設けたので、ディスクの装着部材への挿入動作及び装着部材からの取り出し動作を容易に行うことが出来るという利点を本発明は有している。そして、本発明は、装着部材の着脱位置から動作位置への回動動作を装着部材に形成されている傾斜部と筐体に設けられている当接部との当接によって行うようにしたので、変位部材が動作位置へ変位すると自動的に装着部材が動作位置に変位せしめられることになり、ディスクの装着動作を正確に行うことが出来る。
【図面の簡単な説明】
【図１】本発明の装着装置が着脱位置にある状態を示す要部の平面図である。
【図２】本発明の装着装置が動作位置にある状態を示す要部の平面図である。
【図３】本発明の装着装置が着脱位置にある状態を示す正面一部破断面図である。
【図４】本発明の装着装置が動作位置にある状態を示す正面一部破断面図である。
【符号の説明】
１  筐体
２  変位部材
４  装着部材
７  傾斜部
８  当接部
Ｄ ディスク
【図１】
0003547798.tif 000002
【図２】
0003547798.tif 000003
【図３】
0003547798.tif 000004
【図４】
0003547798.tif 000005